(57)【要約】【課題】            蛍光灯器具を直列に規則的に配列するとともに、各蛍光灯の間に空間が発生するのを防止することにより、美観はもとより照明効果をさらに向上させた蛍光灯を提供する。【解決手段】        チューブ状の蛍光灯ボディと、前記ボディの両端部の一側面からそれぞれ延設された補助チューブと、前記補助チューブの内側の先端部に形成された接続端子とから構成される。【選択図】          図３
2005332620.tif 000002
【特許請求の範囲】
【請求項１】
チューブ状の蛍光灯ボディ（２１）と、
前記ボディ（２１）の両端部の一側面からそれぞれ延設された補助チューブ（２３）と、
前記補助チューブ（２３）の内側の先端部に形成された接続端子（２２）とからなることを特徴とする蛍光灯。
【請求項２】
前記両補助チューブ（２３）の間に配置され、内部に点灯のために内蔵された点灯手段（３２）と、その両端部に前記接続端子（２２）を固定するために備えられた固定具（３１）とを有する蛍光灯器具（３０）を更に含むことを特徴とする請求項１記載の蛍光灯。
【請求項３】
前記蛍光灯器具（３０）には前記補助チューブ（２３）を保護するための翼片（３３）が延設されることを特徴とする請求項２記載の蛍光灯。
【発明の詳細な説明】
【技術分野】
【０００１】
本発明は、従来の蛍光灯の構造を変更させた蛍光灯構造に係り、特に、蛍光灯構造を改善することにより、蛍光灯を連結して使用するときの連結部位での照明が中断する現象を防止する蛍光灯に関する。
【背景技術】
【０００２】
図１に示すように、従来の蛍光灯は、蛍光灯１の両端部に接続端子２を設置した形態であって、このような蛍光灯１を蛍光灯器具１０に装着して点灯するようにした。
【０００３】
最近、かかる従来の蛍光灯は単に闇を明らかにする役割だけではなく、店のショーケースやショールームなどに設置して視覚的効果を出す装飾用としての機能を果たすようになり、これにより蛍光灯の占有面積を最小化するために蛍光灯の断面積を最小化するスリム型蛍光灯が多く使われている。
【０００４】
しかも、このようなスリム型蛍光灯は単に一つを配置するのではなく、多数の蛍光灯を直接に連結して使用するようになっている。
【０００５】
このようなスリム型蛍光灯に対する構造および連結形態については本出願人が出願した大韓民国特許登録番号第２２１１９５号（名称：蛍光ランプ）に詳細に説明されているので、その説明は省略する。
【０００６】
また、このような小口径の蛍光灯は、最近、直接照明のほかに間接照明や装飾照明などへと利用用途が拡大している。
【０００７】
蛍光灯を装着するための蛍光灯器具は、図２に示すように、蛍光灯１を装着するための蛍光灯器具１０を必要とし、前記蛍光灯器具１０には蛍光灯１を点灯させるための回路基板、安定器およびその他必要部品が配置される。
【０００８】
そして、蛍光灯１は、蛍光灯１の両側に設置された接続端子２を蛍光灯器具１０の固定具１１に嵌めこむことにより、蛍光灯器具１０に安着される。
【０００９】
以上、蛍光灯１使用の最も一般的な方法について説明した。
【００１０】
しかし、前記蛍光灯器具１０の使用目的に応じて多数の蛍光灯１を連結して使用するために前記固定具１１に蛍光灯１を結合して使用する場合、前記蛍光灯器具１０を直列に連結／設置する過程において、これらの連結部位に、即ち前記蛍光灯１の接続端子２がそれぞれ固定される各固定具１１によって前記各蛍光灯１の間に一定の空間部が発生する。
【００１１】
このような空間が連結部位で照明が中断する現象をもたらし、完璧な照明効果を期待するのは無理であるという問題があった。
【００１２】
一方、かかる問題点を少しでも解消するために連結部位をオーバラップさせて若干ジグザグ状に蛍光灯器具１０を配置する方法を試みたが、この場合は蛍光灯１が一直線に配置できないため、照明が歪んでしまうという問題があった。
【発明の開示】
【発明が解決しようとする課題】
【００１３】
かかる従来の問題点を解決するための本発明の目的は、蛍光灯器具を直列に規則的に配列するとともに、各蛍光灯の間に空間部が発生するのを防止することにより、美観はもとより照明効果をさらに向上させた蛍光灯を提供することにある。
【課題を解決するための手段】
【００１４】
上記目的を達成するために、本発明の蛍光灯は、チューブ状の蛍光灯ボディと、前記ボディの両端部の一側面からそれぞれ延設された補助チューブと、前記補助チューブの内側の先端部に形成された接続端子とから構成されることを特徴とする。
【００１５】
また、前記補助チューブの間に配置され、内部に点灯のために内蔵された点灯手段と、その両端部に前記接続端子を固定するために備えられた固定具とを有する蛍光灯器具を更に含むことを特徴とする。
【発明の効果】
【００１６】
本発明は、前記蛍光灯を直接に配置した場合にも連結部位の照明が中断される現象が防止され、美観および照明効果がさらに向上する。
【００１７】
また、前記蛍光灯と同じ構造のネオン灯と、ネオン灯のための灯器具とをパッケージで構成することにより、様々な照明および広告用のネオン灯として活用することができる。
【発明を実施するための最良の形態】
【００１８】
以下、本発明を添付図を参照して詳細に説明する。従来と同一の部材についての説明は諸略する。
【００１９】
図３は本発明に係る蛍光灯を示す図であり、図４は本発明に係る蛍光灯を直列に連結／設置した状態を示す図である。
【００２０】
本発明に係る蛍光灯２０の最も基本的な構造は、多数の蛍光灯２０を直列に配置する場合、前記各蛍光灯２０の間に空間が発生しないように近接配置することである。
【００２１】
また、その構造的な変更があった場合も、蛍光灯２０を蛍光灯器具３０に装着した後にも全体的なボリュームが大きくならないようにする。
【００２２】
このために、従来の蛍光灯構造とは異なり、本発明の蛍光灯２０は所定の長さを有するチューブ状の蛍光灯ボディ２１を備え、 前記ボディ２１の両端部の一側面には、前記ボディ２１と連通する補助チューブ２３が前記ボディ２１の両端部の一側面からそれぞれ延設される。
【００２３】
ここで、前記補助チューブ２３は前記ボディ２１の先端部より突出しないようにし、内側へ所定の長さだけ延長することが好ましい。
【００２４】
そして、前記補助チューブ２３の内側の先端部には接続端子２２が備えられる。
【００２５】
したがって、前記蛍光灯２０のボディ２１と補助チューブ２３とが相互に連動する形で、補助チューブ２３がボディ２１から突出した形になっている。
【００２６】
このように本発明に係る蛍光灯２０は従来の蛍光灯に比べて全体的な形状が若干変更されているが、蛍光灯２０の使用や技術的な面においては従来の蛍光灯と同じ機能を行う。
【００２７】
本発明の新しい形状を有する蛍光灯２０は、両端部がガラス管形態をそのまま維持しているので、これら蛍光灯２０を直列に配置した場合も各蛍光灯２０の間に空間が発生しない。
【００２８】
このように配置された蛍光灯２０は蛍光灯器具３０に連結／設置されて点灯する。
【００２９】
前記蛍光灯器具３０は相互に一定の間隔で離れている両補助チューブ２３の間に配置され、内部には点灯のための通常の点灯手段３２が備えられる。
【００３０】
ここで、前記点灯手段３２は回路基板や安定器などの部品から構成される。
【００３１】
そして、前記蛍光灯器具３０の両端部には前記補助チューブ２３の接続端子２２を固定するための固定具３１が備えられる。
【００３２】
一方、図示の蛍光灯器具３０のほかにも前記蛍光灯器具３０を様々形状に変形して使用することができるのは言うまでもない。
【００３３】
図５は本発明の他の実施例に係る蛍光灯を示す図であって、図示のように前記蛍光灯器具３０の両端部には、前記補助チューブ２３の破損を防止するための翼片３３が前記蛍光灯器具３０の両端部から外向きにそれぞれ延設される。
【００３４】
前述したように、本発明に係る蛍光灯２０は既存の蛍光灯に比べて補助チューブ２３の形状が変形して突出しているが、組立後の全体的な幅や高さはほぼ同様である。
【００３５】
さらに、本発明の蛍光灯２０の前記形状及び構造は様々な形態に変形可能である。
【００３６】
一方、本発明のまた他の実施例によれば、本発明の蛍光灯２０の構造を単に蛍光灯２０にのみ限定することなく、ネオン灯などにも同様に適用することができる。
【００３７】
従来のネオン灯はパッケージ形態でなく所望の形状に別々に製造した。しかし、本発明の基本形態をネオン灯に適用するとき、もし本発明と同様にネオン灯とネオン灯の点灯のためのネオン灯器具とをパッケージで構成すると、多様な色相のネオン灯を容易に購入して使用することができる。
【００３８】
このようなネオン灯は特に一般的な蛍光灯が使用できない寒冷地域で効率的に使用することができ、まるで多様な色相を有する蛍光灯のように簡単に使用することができる。
【００３９】
勿論、ネオン灯のためにはネオン灯の灯器具がネオン灯の点灯および安定器などの適合した部品から構成されるのは言うまでもない。
【図面の簡単な説明】
【００４０】
【図１】従来の蛍光灯を示す図である。
【図２】従来の蛍光灯を直列に連結／設置した状態を示す図である。
【図３】本発明に係る蛍光灯を示す図である。
【図４】本発明に係る蛍光灯を直列に連結／設置した状態を示す図である。
【図５】本発明の他の実施例に係る蛍光灯を示す図である。
【符号の説明】
【００４１】
２０    蛍光灯
２１    ボディ
２２    接続端子
２３    補助チューブ
３０    蛍光灯器具
３１    固定具
３２    点灯手段
３３    翼片
【図１】
2005332620.tif 000003
【図２】
2005332620.tif 000004
【図３】
2005332620.tif 000005
【図４】
2005332620.tif 000006
【図５】
2005332620.tif 000007